(57)【要約】  【課題】適用機器への取付け仕様を容易化して組立作業性を良くするとともに、冷却機器に適用しても送風機への氷結進行を防止し、低騒音かつ貯蔵室を所定の温度に安定して保つ事が出来る送風機を提供する。  【解決手段】軸流型のファン７と、ファン７の周囲を所定の間隔をおいて囲むマウスリング８を形成したケース９とで構成され、ケース９は方形でかつ外周側面は平面で構成されたものであり、ケース９の形状を単純化でき、取付け部材との嵌合を良くして、取付け部材との間のシール材を廃止するといった適用機器への取付け仕様を単純化することが出来、低コスト、組立作業性を向上することができる。【選択図】図１
2007162980.tif 000002
【特許請求の範囲】
【請求項１】
軸流型のファンと、前記ファンの周囲を所定の間隔をおいて囲むマウスリングを形成したケースとで構成され、前記ケースは方形でかつ外周側面は平面で構成されたことを特徴とする送風機。
【請求項２】
前記ケースの軸流と直交する前面または後面に肉抜き部を有することを特徴とする請求項１に記載の送風機。
【請求項３】
前記ケースの軸流と直交する前面または後面に形成する肉抜き部は、ファンによる風の流れの下流側の面に形成することを特徴とする請求項２に記載の送風機。
【請求項４】
前記肉抜き部に連通して前記ケースの外周側面に切欠き部を形成したことを特徴とする請求項２または３に記載の送風機。
【請求項５】
前記肉抜き部は前記方形ケースのそれぞれの隅角部に設け、各肉抜き部にそれぞれ複数の切欠き部を形成したことを特徴とする請求項４に記載の送風機。
【請求項６】
前記ケースの肉抜き部には親水処理を施したことを特徴とする請求項２から５のいずれか一項に記載の送風機。
【請求項７】
請求項１から６のいずれか一項に記載の送風機を冷却器の冷却雰囲気中に備えたことを特徴とする冷蔵庫をはじめとする冷却機器。
【発明の詳細な説明】
【技術分野】
【０００１】
本発明は、冷却雰囲気中で使用する送風機およびこの送風機を備えた冷蔵庫などの冷却機器に関するものである。
【背景技術】
【０００２】
従来から、小型、省電力化を目的とした軸流型の送風機が知られており、このような送風機を、冷蔵庫をはじめとし、ショーケース、製氷機、自動販売機、各種空調機器のような冷却機器に適用することは容易に考えられる（例えば、特許文献１参照）。
【０００３】
以下、図面を用いて従来の送風機について説明する。
【０００４】
図３は、従来の軸流型の送風機を備えた冷蔵庫の断面図である。図３において、冷蔵庫１０１の上部貯蔵室１０２と下部貯蔵室１０３は仕切部材１０４で仕切られ、仕切部材１０４の奥面には冷却器１０５の上部近傍になるように送風機１０６が設置されている。そして冷却器１０５の冷気を上部貯蔵室１０２と下部貯蔵室１０３に送風し、各室内を所定の温度に冷却する。そして送風機１０６の外周ケースは方形であり、回転するファンとの隙間を一定にするために外周ケースの内側面は円周面を形成し、それに対応する外周ケースの外側面も送風機１０６の軽量化や送風機１０６の外周ケースのヒケ防止策として略円周面を形成している。すなわち方形を形成する外周ケースの外周側面には空間を有している。
【特許文献１】特開２００３−１３０５２６号公報
【発明の開示】
【発明が解決しようとする課題】
【０００５】
しかしながら、送風機１０６の外周ケースの外周側面の空間により、送風機１０６を冷蔵庫１０１に取付ける場合、送風機１０６の外周ケースに設けられた穴にビスを通して取付け部材に固定したり、取付け部材との隙間を塞ぐ為のフォーム等のシール材を送風機１０６の外周ケースの周囲に貼って取付け部材に送風機１０６を圧入支持する方法が多く用いられる。これは送風機１０６の外周ケース側面の隙間をフォーム等のシール材で埋めるためである。これにより、組立作業性が悪化したり、コスト的にも高くなるという課題を有している。
【０００６】
本発明は、上記従来の課題を解決するもので、送風機の取付け仕様を容易化して組立作業性が良く、低コストで、信頼性の高い送風機を提供することを目的とする。
【課題を解決するための手段】
【０００７】
上記従来の課題を解決するために、本発明の送風機は、軸流型のファンと、前記ファンの周囲を所定の間隔をおいて囲むマウスリングを形成したケースとで構成され、前記ケースは方形でかつ外周側面は平面で構成されたものである。
【０００８】
これにより、ケースの外周形状を簡素化でき、適用機器に取付ける場合でも、ケース側面と取付け部材が嵌合し易くなる為、取付け部材との隙間を塞ぐ為のシール材を不要とすることが出来る。
【発明の効果】
【０００９】
本発明の送風機は、軸流型のファンと、前記ファンの周囲を所定の間隔をおいて囲むマウスリングを形成したケースとで構成され、前記ケースは方形でかつ外周側面は平面で構成することで、適用機器への取付け仕様を容易化し、組立作業性を良くすることが出来る。
【発明を実施するための最良の形態】
【００１０】
請求項１に記載の発明は、軸流型のファンと、前記ファンの周囲を所定の間隔をおいて囲むマウスリングを形成したケースとで構成され、前記ケースは方形でかつ外周側面は平面で構成されたものであり、ケースの形状を単純化でき、取付け部材との嵌合を良くして、取付け部材との間のシール材を廃止するといった適用機器への取付け仕様を単純化することが出来る。
【００１１】
請求項２に記載の発明は、請求項１に記載の発明において、前記ケースの軸流と直交する前面または後面に肉抜き部を有するものであり、ケースの外周側面を平面に維持しながら軽量化や外周ケースのヒケを防止することができる。
【００１２】
請求項３に記載の発明は、請求項２に記載の発明において、前記ケースの軸流と直交する前面または後面に形成する肉抜き部は、ファンによる風の流れの下流側の面に形成するものであり、肉抜き部の形成による乱流の発生を防止することができ風量や騒音といった送風機特性への影響を抑えることができる。
【００１３】
請求項４に記載の発明は、請求項２または３に記載の発明において、前記肉抜き部に連通して前記ケースの外周側面に切欠き部を形成したものであり、前記肉抜き部に滞留した水分等を切欠き部から外部に排出することができ、信頼性を高めることができる。
【００１４】
請求項５に記載の発明は、請求項４に記載の発明において、前記肉抜き部は前記方形ケースのそれぞれの隅角部に設け、各肉抜き部にそれぞれ複数の切欠き部を形成したものであり、肉抜きを効率的に行ないながら水分等の排出性を高めることができるとともに、送風機の設置方向の自由度が高まる。
【００１５】
請求項６に記載の発明は、請求項２から５のいずれか一項に記載の発明において、前記ケースの肉抜き部には親水処理を施したものであり、さらに水分等の排出性を高めることができる。
【００１６】
請求項７に記載の発明は、請求項１から６のいずれか一項に記載の送風機を冷却器の冷却雰囲気中に備えた冷蔵庫をはじめとする冷却機器であり、送風機の取付け仕様を容易化し、組立作業性を良くするとともに、氷結進行による送風機の騒音の増加やファンの拘束状態の発生を防止することで、低騒音でかつ貯蔵室を所定の温度に安定して保つことが出来る冷却機器を提供することが出来る。
【００１７】
（実施の形態１）
図１は、本発明の実施の形態１における送風機のファンの下流側から見た正面図であり、図２は同実施の形態の送風機の側断面図である。
【００１８】
図１において、送風機６は軸流型のファン７と、略正方形のケース８から構成され、ファン７はケース８の中央部に位置するモータ支持部９に取付けられており、ケース８は吸込み側から吐出側への空気の流通を円滑にする為に、ファン７と所定の間隔をおいて囲むように形成されたマウスリング１０を備えている。
【００１９】
ケース８の外周側面は平面で構成されるとともに、ケース８の軸流と直交する前面または後面において、ファン７による風の流れの下流側となる面側に肉抜き部１１を形成している。そして、肉抜き部１１は略正方形のケース８のそれぞれの隅角部（４ヶ所）近傍に形成し、さらに肉抜き部１１に連通してケース８の外周側面に切欠き部１２を各肉抜き部１１にそれぞれ２本ずつ形成し、切欠き部１２の長さ（深さ）は肉抜き部１１の深さと略同一としている。
【００２０】
すなわち送風機６のケース８は樹脂で射出成形されるもので、その成形型はファンの軸流方向の抜き型のみで構成されるもので、ケース８成形時、マウスリング１０、肉抜き部１１、切欠き部１２を前記型のみで一体に形成できる。
【００２１】
また、肉抜き部１１、切欠き部１２に親水処理を施してもよい。
【００２２】
なお、送風機６は、従来例で説明したように冷蔵庫の冷却雰囲気中で庫内循環用の送風機として使うのをはじめ、冷却機器全般の送風機としても使うことができる。
【００２３】
上記構成により、略正方形のケース８の外周側面は平面で構成されるので、適用機器の取付け部材との嵌合において、送風機６を取付け部材への圧入支持とする場合でも、取付け部材との隙間を防ぐフォーム等のシール材を不要とすることが出来、組立作業性を良くする事ができる。
【００２４】
また、ケース８の軸流と直交する前面または後面に肉抜き部１１を形成することにより、ケース８の外周側面を平面に維持しながら軽量化やケース８の外周平面のヒケを防止することができる。
【００２５】
また、肉抜き部１１は、ファンによる風の流れの下流側の面に形成することにより、肉抜き部１１の形成による乱流の発生を防止することができ風量や騒音といった送風機特性への影響を抑えることができる。
【００２６】
また、肉抜き部１１に連通してケース８の外周側面に切欠き部１２を形成することにより、肉抜き部１１に滞留した水分等を切欠き部１２からケース８の外部に確実に排出することができ、水分の滞留による氷結などの不具合を防止できることで信頼性を高めることができる。
【００２７】
また、肉抜き部１１は略正方形ケース８のそれぞれの隅角部近傍に設け、各肉抜き部１１にそれぞれ複数の切欠き部１２を形成することにより、肉抜きを効率的に行ないながら水分等の排出性を高めることができるとともに、送風機６の設置方向の自由度が高まる。
【００２８】
また、肉抜き部１１、切欠き部１２に親水処理を施すことにより、さらに肉抜き部１１からの水分等の排出性を高めることができる。
【産業上の利用可能性】
【００２９】
以上のように、本発明の送風機は、適用機器への取付け仕様を容易化し、組立作業性を良くすることが出来、風量や騒音といった送風機特性に影響を与えることなく、ケースに軽量化やヒケ防止の為の肉抜き部を施すことが出来るものであり、冷蔵庫をはじめとする冷却機器に適用した場合にも、氷結進行による送風機の騒音の増加やファンの拘束状態の発生を防止し、低騒音でかつ貯蔵室を安定の温度に安定して保つことが出来る。
【図面の簡単な説明】
【００３０】
【図１】本発明の実施の形態１における送風機の正面図
【図２】本発明の実施の形態１における送風機の側断面図
【図３】従来の送風機を備えた冷蔵庫の断面図
【符号の説明】
【００３１】
６    送風機
７    ファン
８    ケース
１０  マウスリング
１１  肉抜き部
１２  切欠き部
【図１】
2007162980.tif 000003
【図２】
2007162980.tif 000004
【図３】
2007162980.tif 000005